(57)【要約】      （修正有）【課題】装身具等に着脱可能に取り付けられる容器内から所定強さの心地よい芳香を、周辺へ自然放散可能にする芳香用装身具を提供する。【解決手段】上端面が開口されている開口部に着脱可能に嵌合されるキャップ２を備えた中空容器体であって、キャップ２下部には芳香液を吸着させて保持した状態で中空容器体の中空部５内に先端が突出する棒状の芳香液保持材が吊着され、かつ中空容器体には吊着された芳香液保持材に対応する位置に内外に貫通する芳香放射小孔６ａが穿設され、中空容器体の裏面で前記芳香放射小孔６ａの上部にキャッチ付きの挿し込み針７が形設される。【選択図】図６
0003167811.tif 000002
【実用新案登録請求の範囲】
【請求項１】
上端面が開口されている開口部に着脱可能に嵌合されるキャップを備えた中空容器体であって、
前記キャップ下部には、香水、オーデコロンあるいはボディーローション等の芳香液を吸着させて保持した状態で前記中空容器体の中空部内に先端が突出する棒状の芳香液保持材が吊着され、かつ該中空容器体には吊着された該芳香液保持材に対応する位置に内外に貫通する芳香放射小孔が穿設されるとともに、前記中空容器体の裏面で前記芳香放射小孔の上部に、衣服や服飾品等に装着するキャッチ付き挿し込み針が形設してなり、
該芳香液保持材が発散する芳香を、前記芳香放散小孔を通して中空容器の外に放散することを特徴とする芳香用装身具。
【請求項２】
前記芳香液保持材が綿布、不織布などの多孔質材料からなる棒状体からなることを特徴とする請求項１に記載の芳香用装身具。
【考案の詳細な説明】
【技術分野】
【０００１】
本考案は、衣服や服飾品等に装着されて、香水やオーデコロンなどの芳香を付近に放散する芳香用装身具に関する。
【背景技術】
【０００２】
従来から、香水やオーデコロンなどの芳香液は大型サイズのガラス容器に入れられて販売され、使用者はこれを購入して、外出時にバッグなどに入れて携帯している。また、この芳香液の使用時にはそのガラス容器の口に指を押し当て、その指に僅か付着させた芳香液を肌や装身具に付着させている。しかし、この芳香液の必要使用量は通常僅かであり、外出先で使用する分を小型容器やアトマイザーなどの容器に小分けして携帯することが、今日では一般的になっている。そして、その芳香液の小分けのために、分注ノズルを使用して大形サイズの前記ガラス容器から小型容器に芳香液を移し替えることが広く行われている（例えば、特許文献１を参照）。
【０００３】
ところで、かかる小型容器に移される芳香液を使用する場合にも、その小型容器の蓋を開き、その容器の口に指先の腹を当てて、その指に付着した芳香液を肌や衣服の一部に付着させたり、小型容器がスプレイ式容器である場合には、芳香液を肌や衣服に直接噴射して付着させたりしている。
【先行技術文献】
【特許文献】
【０００４】
【特許文献１】特開２００４−００１８１０号公報
【考案の概要】
【考案が解決しようとする課題】
【０００５】
しかしながら、かかる従来の芳香液の収納容器にあっては、指先に芳香液を付着させて肌や衣服に付着させる方法およびスプレイ容器から芳香液を肌や衣服に直接噴射させる方法のいずれにあっても、その芳香液の一回の付着量や噴射量が一定ではない。従って、芳香液の付着量や噴射量が不足する場合や、逆に過剰になった場合には、所望の香りを楽しむことができず、あるいは強い香りが周辺の嫌気を誘うことになるなどの不都合があった。
【０００６】
本考案は、上述した事情に鑑みてなされたものであり、その目的は、肌や衣服に芳香液を直接付着するのではなく、装身具等に着脱可能に取り付けられる容器内から所定強さの心地よい芳香を自然放散させることができる芳香用装身具を提供することにある。
【課題を解決するための手段】
【０００７】
前述した目的を達成するために、本考案に係る芳香用装身具は、上端面が開口されている開口部に着脱可能に嵌合されるキャップを備えた中空容器体であって、前記キャップ下部には、香水、オーデコロンあるいはボディーローション等の芳香液を吸着させて保持した状態で前記中空容器体の中空部内に先端が突出する棒状の芳香液保持材が吊着され、かつ該中空容器体には吊着された該芳香液保持材に対応する位置に内外に貫通する芳香放射小孔が穿設されるとともに、前記中空容器体の裏面で前記芳香放射小孔の上部に、衣服や服飾品等に装着するキャッチ付き挿し込み針が形設してなり、該芳香液保持材が発散する芳香を、前記芳香放散小孔を通して中空容器の外に放散することを特徴とする。
【０００８】
この構成により、中空容器からキャップを分離し、このキャップに取り付けられた芳香液保持部材に芳香液を含浸、滴下あるいはスプレイ（噴射）によって十分に浸み込ませた上で、そのキャップを中空容器の開口部に装着すると、芳香液保持材は前記中空容器の中空部内で発生する芳香を、その中空部内から芳香放散小孔を通じて中空容器外に放散する。この芳香放散小孔から放散された芳香は中空容器周辺の外気に混合され、香りが強くない自然な香気として付近に漂うこととなる。
【０００９】
一方、かかる中空容器は、外周面に所定のデザインが施され、あるいは宝石やアクセサリが別途取り付けられており、挿し込み針を衣服や服飾品等の一部に刺し通し、さらにこれらの衣服や服飾品等の裏側に配したキャッチに差し込むことで、その衣服や服飾品等に取り付けられた中空容器から前記芳香を付近に漂わせることができる。この場合において、芳香液を滲み込ませる芳香液保持材としては特に綿芯が好ましい。
【００１０】
また、本考案にかかる芳香用装身具は、前記芳香液保持材を綿布、不織布などの多孔質材料からなる棒状体としたことを特徴とする。これにより、芳香液が中空容器内に垂れ落ちることがないように、該芳香液を毛細管現象によって安定的に棒状の芳香液保持材に保持させることができるとともに、芳香を、少量ずつ芳香放散小孔を通じて中空部内から中空容器外へ導出し、発散させることができる。
【考案の効果】
【００１１】
本考案によれば、フレグラスピン、ペンダントネブローチ等の装身具に応用され、これらを衣服や服飾品等に装着すると芳香用装身具から香気を付近に過不足なしにかつ効果的に放散させることができ、これを簡単かつ小型の構成にて安価に提供できる。
【００１２】
以上、本考案について簡潔に説明した。更に、以下に考案を実施するための最良の形態を添付図面に示すプレグランスピンの例で詳細に説明する。
【図面の簡単な説明】
【００１３】
【図１】本考案に係るフレグランスピンの実施形態による芳香用装身具を示す正面図である。
【図２】本考案に係るフレグランスピンの実施形態による芳香用装身具を示す側面図である。
【図３】図１に示す中空容器の側断面図である。
【図４】図１に示す中空容器の平面図である。
【図５】図１に示すキャップの縦断面図である。
【図６】図１に示す芳香用装身具の縦断面図である。
【考案を実施するための形態】
【００１４】
以下、本考案の実施の形態にかかる芳香用装身具を、図１乃至図６に示すフレグランスピンの例を参照して説明する。
本実施形態にかかる芳香用装身具は、上端面が開口されている開口部に着脱可能に嵌合されるキャップを備えた中空容器体であり、前記キャップ下部には、香水、オーデコロンあるいはボディーローション等の芳香液を吸着させて保持した状態で前記中空容器体の中空部内に先端が突出する棒状の芳香液保持材が吊着され、かつ該中空容器体には吊着された該芳香液保持材に対応する位置に内外に貫通する芳香放射小孔が穿設されるとともに、前記中空容器体の裏面で前記芳香放射小孔の上部に、衣服や服飾品等に装着するキャッチ付き挿し込み針が形設してなり、該芳香液保持材が発散する芳香を、前記芳香放散小孔を通して中空容器の外に放散させるようにしたものである。
【００１５】
本実施形態のフレグランスピンは、図１および図２に示すように、中空容器1にキャップ２を被せた構成をなし、これらは中空容器体Ａを構成している。これらのうち中空容器１は、ガラス、金属、合成樹脂などの成形品として構成され、全体として中央部付近で最大径となる太鼓形状をなす。この中空容器１の外周面には、カットガラスなどの装飾物３が、一部を外方に向けて露出するように埋設されている。また、中空容器１の下端部には、ペン先の形状にデザインされたペン先形状部４が一体に突設されている。
【００１６】
なお、図示しないが、中空容器１外周の正面側には、所定のデザインを施したブローチ、その他のアクセサリを一体または別付けにて取り付けることもできる。また、前記カットガラスなどの装飾物３やペン形状部４のデザインは一例であり、例えばてんとう虫などの昆虫、ふくろうなどの鳥、ライオンなどの動物、花、十字架、キーなどをデザインしたものとすることは任意である。
【００１７】
中空容器１は全体として図３に示すように縦長であり、上端が開口する円形の中空部５が設けられている。この中空部５の上端部は上方に開口する開口部５ａとなっており、この開口部５ａ付近の上下部の２箇所に、リング状切欠６が形成されている。これらのリング状切欠６は、キャップ２に取り付けられた後述のシールリングが嵌まり込むような形態をなす。
【００１８】
また、中空容器１の下部には中空部５の内外に貫通する上下１個ずつの芳香放散小孔６ａが穿設されている。この芳香放散小孔６ａは中空部５内に放散する芳香が中空容器１外に漏れ出し易いサイズ、形状とされている。さらに、中空容器１の背面側には先端が尖った１本の挿し込み針７が水平方向に突設されている。この挿し込み針７は金属製であり、中空容器１に対し該中空容器１の成形時に基部が同時かつ一体に、または後着けによって固定されている。
【００１９】
この挿し込み針７は衣服やネクタイなどの服飾品の表側から裏側に挿し通され、この裏側に挿し通された挿し込み針７の先端が、図２に示すようなキャッチ８の針保持孔（図示しない）に挿し込まれて保持される。これにより、この中空容器１を被覆や服飾品等に容易に装着することができる。さらに、中空容器１外周の上部正面（挿し込み針７の設置側とは反対側）には、縦方向に長めの縦長溝９が形成されている。この縦長溝９は前記キャップ２に一体形成された後述の突起片１３に嵌合可能なサイズ、形状となっている。
【００２０】
一方、前記キャップ２は円弧状に突出する頭部１１と、この頭部１１の下部に連続する円筒部１２と、前記頭部１１の周辺から下方に垂直に延設された突起片１３とを一体に有し、これが例えば合成樹脂により成形されている。ここで頭部１１は万年筆の頭をイメージする形状を有し、突起片１３は頭部１１の下部に突設され、円筒部１２の外周から所定距離離れた位置に垂下するように設けられている。そしてこの突起片１３は万年筆のクリップをイメージする形状を有する。従って、これらの頭部１１および突起片１３は前記中空容器１の本体およびペン形状部４とともに、全体として万年筆をイメージ可能なデザインとなっている。
【００２１】
前記円筒部１２は前記中空容器１の中空部５の内周径に略等しい外径サイズを持ち、従ってその中空部５内への挿入および挿入解除がスムースに行えるようになっている。この円筒部１２外周の上下の各一箇所にリング溝１４が形成され、これらのリング溝１４にはシールリング１５が容易に脱落しないように嵌合されている。円筒部１２は下端に開放された円筒孔１２ａを有し、この円筒孔１２ａ内には丸棒状の芳香液保持材１６が装着（吊着）されている。
【００２２】
この芳香液保持材１６は不織布や綿布などの毛細管現象を持つ素材からなり、香水やオーデコロンなどの芳香液を吸収して保持しながら、芳香を徐々に放散し、例えば綿布からなる綿芯とすることがより好ましい。この芳香液保持材１６は略全長の半分程度が円筒孔１２ａ内に嵌合され、残る半分が中空容器１の中空部５内に臨む（露出する）長さとなっている。この芳香液保持材１６には、ガラス容器内に収納された芳香液をそのガラス容器の抽出口から滴下し、またはスプレイすることにより、この芳香液の適当量をこの芳香液保持材１６に滲み込ませることができる。
【００２３】
かかる構成になる芳香用装身具は、キャップ２の円筒孔１２ａ内に芳香液保持材１６を前述のように装着し、この芳香液保持材１６に芳香液を滴下またはスプレイする。そこで、こうして芳香液を吸収させた芳香液保持材１６を持つ前記キャップ２を、中空容器１に装着する。このキャップ２の装着によって、キャップ２の円筒部１２は中空容器１の中空部５内に挿入され、キャップ２の突起片１３が中空容器１外周の縦長溝９に嵌まり込む。これにより、図６に示すように、中空容器１とキャップ２とが一体に結合される。
【００２４】
この場合においては、芳香液保持材１６の下半部は中空部５内に臨んで、この中空部５内には、を芳香液保持材１６が吸着した芳香液から発散する芳香を充満させることができる。そしてこの芳香液保持材１６に臨む芳香放射孔６ａから中空容器１の外へ、その芳香を放散させることができる。また、前記中空部５の内周面と円筒部１２の外周面との間には、シールリング１５が在されるため、中空部５の内周面と円筒部１２の外周面との間から中空部５内の芳香が外に洩れ出るようなことはない。
【００２５】
そして、このように組み付けられた芳香用装身具は、前記挿し込み針７を衣服ややネクタイなどの服飾品の所定部位に挿し通し、その挿し通された衣類や服飾品の裏側に配したキャッチ８に、その挿し込み針７の先端部を挿し込む。これにより、この芳香用装身具は衣服や服飾品に装着され、この装着部付近に芳香用装身具の芳香放射孔６ａから放射される芳香を付近に散布することができる。これによって、周辺に良好な雰囲気を形成することができる。
【００２６】
なお、前記説明においては、一例のフレグランスピンについて説明したが、芳香機能を備えることのできるペンダント、ブローチ等の装身具にも適用される。また、衣服やネクタイ等の服飾品に芳香用装身具を取り付ける場合について述べたが、必要に応じ携帯するハンドバッグやカバン、その他の携帯品に装着して、芳香を発散させることもできる。
【００２７】
以上のように、本考案の実施形態の芳香用装身具は、上端面が開口されている開口部５ａに着脱可能に嵌合されるキャップ２を備えた中空容器体Ａであって、前記キャップ２下部には、香水、オーデコロンあるいはボディーローション等の芳香液を吸着させて保持した状態で前記中空容器体Ａの中空部５内に先端が突出する棒状の芳香液保持材１６が吊着され、かつ中空容器体Ａには吊着された芳香液保持材１６に対応する位置に内外に貫通する芳香放射小孔６ａが穿設されるとともに、前記中空容器体Ａの裏面で前記芳香放射小孔６ａの上部に、衣服や服飾品等に装着するキャッチ８付きの挿し込み針７が形設されている。従って、芳香液保持材１６が発散する芳香を、芳香放散小孔６ａを通して中空容器１の外に放散させることができる。
【産業上の利用可能性】
【００２８】
本考案の芳香用装身具は、衣服、服飾品或いは装身具に装着されて、香水やオーデコロンなどの芳香を付近に放散する自然な香気を効果的に付近に放散させることができる。かつ芳香液を毛管現象を利用して芳香液保持材で保持し、芳香気体を芳香放散小孔から少しずつ心地よく長期に発散する。この芳香液を含浸させた芳香液保持材を中空容器体に吊着するとともに芳香液保持材の先端に開口する芳香放散小孔から放散させる簡単かつ小型の構成にすることで、使用し易く、安価に市場に提供できる。
【符号の説明】
【００２９】
Ａ  中空容器体
１  中空容器
２  キャップ
３  カットガラス（装飾品）
４  ペン形状部
５  中空部
５ａ  開口部
６  リング切欠
６ａ  芳香放散小孔
７  挿し込み針
８  キャッチ
９  縦長溝
１１  頭部
１２  円筒部
１２ａ  円筒孔
１３  突起片
１４  リング溝
１５  シールリング
１６  芳香液保持材
【図１】
0003167811.tif 000003
【図２】
0003167811.tif 000004
【図３】
0003167811.tif 000005
【図４】
0003167811.tif 000006
【図５】
0003167811.tif 000007
【図６】
0003167811.tif 000008